(57)【特許請求の範囲】
【請求項１】
壁面に設けられ、便器装置を作動可能なリモコン部と、該リモコン部に設けられる棚部とを有し、該リモコン部の前面の上側は該便器装置の使用者に対面する操作面を構成し、該リモコン部の前面の下側には該棚部が保持され、該棚部の上面が該リモコン部の前面より前方へ延びていることを特徴とする棚付きリモコン。
【請求項２】
棚部はリモコン部から着脱可能であることを特徴とする請求項１記載の棚付きリモコン。
【請求項３】
リモコン部の前面の下側は棚部の厚み部分を挟み込むコ字形状をなし、棚部を着脱可能に保持していることを特徴とする請求項２記載の棚付きリモコン。
【発明の詳細な説明】
【０００１】
【発明の属する技術分野】
本発明は棚付きリモコンに関する。
【０００２】
【従来の技術】
例えば、トイレ室では、図３に示すように、シャワートイレ等の電気制御可能な便器装置９２が設けられているとともに、この便器装置９２の周辺の壁面９１にその便器装置９２を作動可能なリモコン９６、棚９３、ペーパホルダ９４、タオル掛け９５等が設けられ得る。ここで、リモコン９６は、壁面９１に固定される図示しないリモコンホルダにより着脱可能になされることが一般的である。この場合、便器装置９２を使用する者が腕や手を棚９３の上面９３ａに乗せる場合もあり得ることから、そのような棚９３は比較的低い位置に設けられることが一般的である。一方、その使用者にとっての視認性及び操作性向上の観点から、その棚９３の上面９３ａより上方に操作面９６ａを位置させるべくリモコン９６を設けることが一般的である。
【０００３】
こうして、このトイレ室では、その使用者によりリモコン９６の操作面９６ａが触手可能になるとともに、棚９３の上面９３ａに載置され得る予備のトイレットペーパ等の物品もその者により触手可能となる。
【０００４】
【発明が解決しようとする課題】
しかし、上記のようにすると、リモコン９６と棚９３とを別々に壁面９１に取り付けなければならないため、施工性が悪いとともに、美観が損なわれるという欠点がある。
【０００５】
本発明は、上記従来の実情に鑑みてなされたものであって、電気機器を作動可能なリモコンが設けられた部屋の施工性及び美観の発揮を可能とする棚付きリモコンを提供することを解決すべき課題としている。
【０００６】
【課題を解決するための手段】
本発明の棚付きリモコンは、壁面に設けられ、便器装置を作動可能なリモコン部と、該リモコン部に設けられる棚部とを有し、該リモコン部の前面の上側は該便器装置の使用者に対面する操作面を構成し、該リモコン部の前面の下側には該棚部が保持され、該棚部の上面が該リモコン部の前面より前方へ延びていることを特徴とする。
【０００７】
本発明の棚付きリモコンでは、棚部がリモコン部に設けられているため、リモコン部を壁面に設けることにより棚部をも壁面に設けることができる。こうした棚付きリモコンでは、リモコン部により電気機器を作動可能であるとともに、棚部により上面に物品を載置可能である。こうして、リモコン部と棚部とを別々に壁面に取り付ける必要がないため、施工性に優れている。また、美観も優れる。
【０００８】
したがって、この棚付きリモコンによれば、優れた施工性及び美観の発揮を可能とすることができる。
【０００９】
棚部はリモコン部から着脱可能であることが好ましい。こうであれば、使用者が棚部を必要としない場合、リモコン部から棚部を外せば、棚付きリモコンを設ける空間を広くすることができ、美観の発揮を可能とすることができる。
【００１０】
本発明は、電気機器が便器装置であり、リモコン部の操作面がその便器装置を使用する者に対面して設けられている場合には、便器装置を作動させるリモコンの操作性の向上が図られる。すなわち、トイレ室は住居等において比較的狭い空間であり、その狭い空間において、便器装置の使用者は、便器装置に着座したままの姿勢等でリモコン部を操作しなければならないので、リモコン部の操作面に手が届かないといった不具合を防止することができるからである。また、着座した姿勢の使用者の対面した位置にリモコン部の操作面が設けられていれば、使用者が体を屈ませたり捻ったりすることがなく、使用者の体に与える負担を軽減することができるからである。
【００１１】
棚部の上面を除いた下方には、トイレットペーパホルダ、タオル掛け等の他のトイレ用備品を設けることができる。これにより、リモコン部、棚部及びその他のトイレ用備品を別々に設ける必要がなくなるため、施工性が向上することとなる。
【００１２】
【発明の実施の形態】
以下、本発明を具体化した実施形態を図面を参照しつつ説明する。
（実施形態）
実施形態のトイレ室では、図３と同様、シャワートイレ一体型の便器装置９２が設けられている。この便器装置９２の周辺の壁面９１に図１に示す棚付きリモコン１０が固定されている。
【００１３】
棚付きリモコン１０は、便器装置９２（図３参照）を作動可能なリモコン部２０と、このリモコン部２０に設けられる棚部３０と、棚部３０の下方に固定されたトイレ用備品としてのトイレットペーパホルダ３２とからなる。
【００１４】
リモコン部２０は、図２にも示すように、背面が壁面９１に当接した状態で図示しないビスにより固定されている。前面の上側は壁面９１に対して上方に傾斜した操作面２２を構成している。この操作面２２には、図１に示すように、ボタンスイッチ２４が直線状に配列されている。また、図２に示すように、リモコン部２０の前面の下側は保持手段としてのクリップ２６になっている。そのクリップ２６は棚部３０の厚み分を挟み込むコ字形状をなしていて、棚部３０を着脱可能に保持している。
【００１５】
棚部３０は上面に物品を載置することができるようになっている。また、棚部３０の下方のトイレットペーパホルダ３２にはトイレットペーパロール３４が回動可能に収納されており、このトイレットペーパロール３４のトイレットペーパはトイレットペーパホルダ３２に揺動可能に設けられた紙切板３６により切断可能になっている。なお、トイレットペーパホルダ３２だけでなく、タオル掛け等の他のトイレ用備品を設けても良い。
【００１６】
以上のように構成された棚付きリモコン１０では、棚部３０がリモコン部２０に設けられ、棚部３０にトイレットペーパホルダ３２が設けられているため、リモコン部２０を壁面９１に設けることにより棚部３０及びトイレットペーパホルダ３２をも壁面９１に設けることができる。
【００１７】
こうした棚付きリモコン１０では、リモコン部２０の操作面２２、棚部３０の上面に載置され得る予備のトイレットペーパ等の物品、棚部３０の下方に設けられたトイレットペーパホルダ３２及びトイレットペーパロール３４が便器装置９２（図３参照）の使用者により触手可能になっている。そして、リモコン部２０により便器装置９２（図３参照）を作動可能であるとともに、棚部３０により予備のトイレットペーパ等の物品を上面に載置可能である。
【００１８】
特に、この棚付きリモコンでは、リモコン部２０の操作面２２が便器装置９２（図３参照）の使用者に対面して設けられているため、その使用者は、便器装置９２に着座したままの姿勢等でリモコン部２０を操作する場合、リモコン部２０の操作面２２に手が届きやすい。また、着座した姿勢の使用者の対面した位置にリモコン部２０の操作面２２が設けられているため、使用者が体を屈ませたり捻ったりすることがなく、使用者の体に与える負担を軽減することができる。
【００１９】
こうして、リモコン部２０と棚部３０とを別々に壁面９１に取り付ける必要がないため、施工性に優れている。また、美観も優れる。また、この棚付きリモコン１０では、棚部３０がリモコン部２０から着脱可能であるため、使用者が棚部３０を必要としない場合、リモコン部２０から棚部３０を外せば、棚付きリモコン１０を設ける空間を広くすることができ、美観の発揮を可能とすることができる。
【００２０】
したがって、この棚付きリモコン１０によれば、優れた施工性及び美観の発揮を可能とすることができる。
【図面の簡単な説明】
【図１】実施形態の棚付きリモコンに係り、棚部及びリモコン部の斜視図である。
【図２】実施形態の棚付きリモコンに係り、棚部及びリモコン部の側面図である。
【図３】従来のトイレ室の側面図である。
【符号の説明】
９１…壁面
９２…電気機器（便器装置）
２０…リモコン部
３０…棚部
１０…棚付きリモコン
２２…操作面
３２、３４、３６…トイレ用備品（３２…トイレットペーパホルダ、３４…トイレットペーパロール、３６…紙切板）
【図１】
0004349717.tif 000002
【図２】
0004349717.tif 000003
【図３】
0004349717.tif 000004